(57)【要約】【課題】回路基板の外縁部に形成されたサイドスルーホールの半田付けランドに、信号線の導線を容易な作業によって十分な強度で半田付け接続することができる電子内視鏡の先端部を提供すること。【解決手段】挿入部１内に挿通配置された信号ケーブル１２の先端から引き出された信号線１３の導線１４が、固体撮像素子７の背面側に配置された回路基板１０の外縁部に設けられているサイドスルーホール２０の半田付けランド２１に半田付けにより接続された電子内視鏡の先端部において、サイドスルーホール２０を、信号線１３の導線１４が嵌め込まれるＶ字状の断面形状の溝状に形成して、そのＶ字状部の両斜面に半田付けランド２１を設けた。【選択図】      図１
2006068059.tif 000002
【特許請求の範囲】
【請求項１】
挿入部の先端に固体撮像素子が内蔵されて、上記固体撮像素子の背面側に回路基板が配置され、上記挿入部内に挿通配置された信号ケーブルの先端から引き出された信号線の導線が、上記回路基板の外縁部に設けられているサイドスルーホールの半田付けランドに半田付けにより接続された電子内視鏡の先端部において、
上記サイドスルーホールを、上記信号線の導線が嵌め込まれるＶ字状の断面形状の溝状に形成して、そのＶ字状部の両斜面に上記半田付けランドを設けたことを特徴とする電子内視鏡の先端部。
【請求項２】
上記サイドスルーホールが３０°〜９０°の挟角のＶ字状に形成されている請求項１記載の電子内視鏡の先端部。
【請求項３】
上記サイドスルーホールが、その中に上記導線が嵌め込まれたときに上記導線が上記回路基板の表面から出っ張らない深さに形成されている請求項１又は２記載の電子内視鏡の先端部。
【請求項４】
上記サイドスルーホールの溝底部付近が、上記信号線の導線が溝底壁に当接することなく両斜面に当接する状態になるＶ字状以外の形状寸法に形成されている請求項１、２又は３記載の電子内視鏡の先端部。
【発明の詳細な説明】
【技術分野】
【０００１】
この発明は電子内視鏡の先端部に関する。
【背景技術】
【０００２】
電子内視鏡においては一般に、挿入部の先端に内蔵された固体撮像素子の背面側に回路基板が配置され、挿入部内に挿通配置された信号ケーブルの先端から引き出された信号線の導線が、回路基板の外縁部に設けられているサイドスルーホールの半田付けランドに半田付けにより接続されている（例えば、特許文献１）。
【特許文献１】特開平１１−４７０８４
【発明の開示】
【発明が解決しようとする課題】
【０００３】
上述のような従来の電子内視鏡の先端部においては、例えば図６及び図７に示されるように、回路基板８０の外縁部に形成されたサイドスルーホール８１が凹状又は半円状の断面形状の溝状に形成されて、その溝底面に形成された半田付けランド８２に信号線９０の導線９１が半田付け接続されている。
【０００４】
しかし、図８に示されるように、断面形状が凹状のサイドスルーホール８１の幅が導線９１の径に比べて余裕がないと、半田付け作業が先を尖らせた特殊な半田コテ等を用いた難しいものになって作業に時間がかかり、また半田付けの接続強度も不十分なものになりがちである。
【０００５】
かと言って、図９に示されるように、サイドスルーホール８１の幅が導線９１の径に対して余裕があると、半田付け作業の際にサイドスルーホール８１内で導線９１が動いてしまうことにより半田付け作業が難しくなって、接続状態に傾きが発生するなど不十分な接続状態になりがちであり、図１０に示されるように、サイドスルーホール８１が半円状の断面形状の場合も同様である。
【０００６】
そこで本発明は、回路基板の外縁部に形成されたサイドスルーホールの半田付けランドに、信号線の導線を容易な作業によって十分な強度で半田付け接続することができる電子内視鏡の先端部を提供することを目的とする。
【課題を解決するための手段】
【０００７】
上記の目的を達成するため、本発明の電子内視鏡の先端部は、挿入部の先端に固体撮像素子が内蔵されて、固体撮像素子の背面側に回路基板が配置され、挿入部内に挿通配置された信号ケーブルの先端から引き出された信号線の導線が、回路基板の外縁部に設けられているサイドスルーホールの半田付けランドに半田付けにより接続された電子内視鏡の先端部において、サイドスルーホールを、信号線の導線が嵌め込まれるＶ字状の断面形状の溝状に形成して、そのＶ字状部の両斜面に半田付けランドを設けたものである。
【０００８】
なお、サイドスルーホールが３０°〜９０°の挟角のＶ字状に形成されているとよく、また、サイドスルーホールが、その中に導線が嵌め込まれたときに導線が回路基板の表面から出っ張らない深さに形成されているとよい。
【０００９】
また、サイドスルーホールの溝底部付近が、信号線の導線が溝底壁に当接することなく両斜面に当接する状態になるＶ字状以外の形状寸法に形成されていてもよい。
【発明の効果】
【００１０】
本発明によれば、サイドスルーホールを、信号線の導線が嵌め込まれるＶ字状の断面形状の溝状に形成して、そのＶ字状部の両斜面に半田付けランドを設けたことにより、回路基板の外縁部に形成されたサイドスルーホールの半田付けランドに、信号線の導線を容易な作業によって十分な強度で半田付け接続することができる。
【発明を実施するための最良の形態】
【００１１】
挿入部の先端に固体撮像素子が内蔵されて、固体撮像素子の背面側に回路基板が配置され、挿入部内に挿通配置された信号ケーブルの先端から引き出された信号線の導線が、回路基板の外縁部に設けられているサイドスルーホールの半田付けランドに半田付けにより接続された電子内視鏡の先端部において、サイドスルーホールを、信号線の導線が嵌め込まれるＶ字状の断面形状の溝状に形成して、そのＶ字状部の両斜面に半田付けランドを設ける。
【実施例】
【００１２】
図面を参照して本発明の実施例を説明する。
図５は電子内視鏡の挿入部１の先端部分を示しており、細長い可撓管状に形成された挿入部１の最先端部分に先端部本体２が連結され、その先端部本体２の最先端面に観察窓３と照明窓（図示せず）及び処置具突出口４等が配置されている。５は、処置具突出口４の後方に配置されている処置具挿通チャンネルである。
【００１３】
観察窓３の奥の先端部本体２内には対物光学系６が配置されていて、その対物光学系６による被写体の投影位置に、例えばＣＣＤ（電荷結合素子）等からなる固体撮像素子７の受光面７ａが配置されている。
【００１４】
この実施例においては、対物光学系６の光軸と先端部本体２の軸線とが平行になるようにレイアウトされていて、固体撮像素子７の受光面７ａは対物光学系６の光軸に対して垂直の向きに配置されている。
【００１５】
固体撮像素子７の背面側には、固体撮像素子７の駆動回路等を構成する例えばコンデンサやトランジスタ等のような電子部品８が搭載された回路基板１０が、固体撮像素子７と平行の向きに配置されている。１１は、固体撮像素子７から後方に延出して回路基板１０側と接続されたリードである。
【００１６】
挿入部１内には、固体撮像素子７において得られた撮像信号等を伝送するための信号ケーブル１２が全長にわたって軸線と平行方向に挿通配置されていて、信号ケーブル１２の先端から回路基板１０の基板面に対向する方向に引き出された信号線１３の導線１４が、回路基板１０の外縁部に形成されたサイドスルーホール２０の半田付けランド２１に半田付けによって接続されている。
【００１７】
図１は、そのような回路基板１０のサイドスルーホール２０付近の状態を示しており、信号線１３の数に合わせて回路基板１０の外縁部に多数設けられたサイドスルーホール２０は、回路基板１０を単体で示す図２にも示されるように、各サイドスルーホール２０が、信号線１３の導線１４が嵌め込まれるＶ字状の断面形状の溝状に形成されている。
【００１８】
各サイドスルーホール２０は、その正面断面図である図３に示されるように、挟角θが６０°程度のＶ字状の断面形状の溝状に形成されていて、その両斜面全面に導電性の半田付けランド２１が設けられている。
【００１９】
したがって、サイドスルーホール２０内に導線１４を嵌め込めば、導線１４が、サイドスルーホール２０の両斜面に形成された半田付けランド２１に当接して安定した状態に位置決めされる。
【００２０】
そして、サイドスルーホール２０がＶ字状の断面形状にに形成されて開口部側が大きく開いているので、その部分に半田コテを当てて導線１４を半田付けランド２１に容易な作業によって確実に半田付け接続することができる。１００は半田である。
【００２１】
なお、サイドスルーホール２０の溝深さは、その中に導線１４を嵌め込んだときに導線１４が回路基板１０の表面から出っ張らない程度に設定するのが、半田付けの作業性や接続強度の点から好ましく、サイドスルーホール２０の挟角θは、３０°〜９０°程度の範囲にあるのが半田付けの作業性や接続強度の点から好ましい。
【００２２】
また、サイドスルーホール２０の溝底部付近は図４に示されるような平面状或いは曲面状等のようなＶ字状以外の形状に形成してもよいが、導線１４が溝底壁２０ａに当接することなく両斜面の半田付けランド２１に当接する状態になるように、サイドスルーホール２０の形状寸法が設定されていることが望ましい。
【図面の簡単な説明】
【００２３】
【図１】本発明の実施例の電子内視鏡の先端部の信号線接続部の略示斜視図である。
【図２】本発明の実施例の電子内視鏡の先端部の回路基板の単体の斜視図である。
【図３】本発明の実施例の電子内視鏡の先端部の信号線接続部の正面断面図である。
【図４】本発明の実施例の電子内視鏡の先端部の信号線接続部の変形例の正面断面図である。
【図５】本発明の実施例の電子内視鏡の挿入部の先端付近の側面断面図である。
【図６】従来の電子内視鏡の先端部の信号線接続部のサイドスルーホールが凹状の場合の一例の略示斜視図である。
【図７】従来の電子内視鏡の先端部の信号線接続部のサイドスルーホールが半円状の場合の一例の略示斜視図である。
【図８】従来の電子内視鏡の先端部の信号線接続部のサイドスルーホールが凹状の場合の一例の正面断面図である。
【図９】従来の電子内視鏡の先端部の信号線接続部のサイドスルーホールが凹状の場合の他の例の正面断面図である。
【図１０】従来の電子内視鏡の先端部の信号線接続部のサイドスルーホールが半円状の場合の一例の正面断面図である。
【符号の説明】
【００２４】
１  挿入部
２  先端部本体
７  固体撮像素子
１０  回路基板
１２  信号ケーブル
１３  信号線
１４  導線
２０  サイドスルーホール
２１  半田付けランド
１００  半田
【図１】
2006068059.tif 000003
【図２】
2006068059.tif 000004
【図３】
2006068059.tif 000005
【図４】
2006068059.tif 000006
【図５】
2006068059.tif 000007
【図６】
2006068059.tif 000008
【図７】
2006068059.tif 000009
【図８】
2006068059.tif 000010
【図９】
2006068059.tif 000011
【図１０】
2006068059.tif 000012